(57)【要約】【課題】  何ら大がかりな施設をともなわず、一般家庭においても遠赤外線による温熱効果を極めて手軽に且つ安全に享受させる。【解決手段】  椅子は、遠赤外線を放出する桐製の座面及び背もたれを形成する座体１１と、この座体１１の内部に設けられた断熱材３０と、座体１１の内部であって少なくとも座面及び背もたれを形成する領域にわたって設けられた遠赤外線を放出する発熱シート４０とを備える。このような椅子は、遠赤外線を放出する桐を主要素材とし、少なくとも座面及び背もたれが、遠赤外線を放出する発熱シート４０によって発熱することから、何ら大がかりな施設をともなわず、一般家庭においても遠赤外線による温熱効果を極めて手軽に且つ安全に享受することができる。【選択図】  図５
2006122423.tif 000002
【特許請求の範囲】
【請求項１】
遠赤外線を放出する所定の木材製からなる座面及び背もたれを形成する座体と、
上記座体の内部に設けられた断熱材と、
上記座体の内部であって少なくとも上記座面及び上記背もたれを形成する領域にわたって設けられた遠赤外線を放出する発熱体とを備えること
を特徴とする椅子。
【請求項２】
上記座体は、
当該座体の主形状を形成する主要体と、
上記主要体の主面のうち上記座面及び上記背もたれを形成する面に貼付された上記木材製の表板材とを有し、
上記表板材は、上記主要体に対して着脱可能とされること
を特徴とする請求項１記載の椅子。
【請求項３】
上記主要体と上記断熱材は、接離可能な状態に形成されていること
を特徴とする請求項２記載の椅子。
【請求項４】
上記座面及び上記背もたれの外表面に現れる温度を所定温度に維持するように、上記発熱体の発熱を制御する温度制御手段を備えること
を特徴とする請求項１乃至請求項３のうちいずれか１項記載の椅子。
【請求項５】
上記発熱体は、可撓性を有して遠赤外線を放出する薄板状の発熱シートであること
を特徴とする請求項４記載の椅子。
【請求項６】
上記座体を支持する脚体を備え、
上記脚体は、床面に対する上記座面及び上記背もたれの角度を可変とするように構成されていること
を特徴とする請求項１乃至請求項５のうちいずれか１項記載の椅子。
【請求項７】
上記脚体は、上記座体に対して回転させることによって床面に対する上記座面及び上記背もたれの角度を可変とすること
を特徴とする請求項６記載の椅子。
【請求項８】
上記脚体は、上記座体を外すことによって床面に対する上記座面及び上記背もたれの角度を変化させること
を特徴とする請求項６記載の椅子。
【請求項９】
上記座面及び／又は上記背もたれを覆う覆蓋部材を備えること
を特徴とする請求項１乃至請求項８のうちいずれか１項記載の椅子。
【請求項１０】
上記木材は、桐であること
を特徴とする請求項１乃至請求項９のうちいずれか１項記載の椅子。
【請求項１１】
所定の大きさの空間を形成する室体と、
上記室体内に設置された椅子とを備え、
上記椅子は、
遠赤外線を放出する所定の木材製からなる座面及び背もたれを形成する座体と、
上記座体の内部に設けられた断熱材と、
上記座体の内部であって少なくとも上記座面及び上記背もたれを形成する領域にわたって設けられた発熱体とを有すること
を特徴とするサウナ室。
【発明の詳細な説明】
【技術分野】
【０００１】
本発明は、発熱する椅子、及びこの椅子を利用したサウナ室に関する。
【背景技術】
【０００２】
従来より、遠赤外線を用いた温熱療法が知られている。
【０００３】
遠赤外線とは、４μｍ〜１０００μｍの波長帯の電磁波であり、比較的低温の放射体が放出する電磁波である。遠赤外線は、分子に照射されることによって当該分子に運動エネルギを与え、これに起因する分子同士の衝突により、相手の分子に自己発熱を生じさせる、という特性を有する。したがって、遠赤外線は、有機質の物質に吸収され、その分子運動を活発化させることにより、当該物質の表面ではなく内部を暖める効果を有する。ここで、人間の平均体温を波長に換算すると約１０μｍとなることから、１０μｍ前後の波長を有する遠赤外線を人体に照射することにより、人体を構成する分子の運動が活発化して身体が暖まる。そして、暖まった身体は、上述した自己発熱作用により、すぐには冷却せずに温熱効果が継続することになる。さらに、遠赤外線には、体内の水分子を活性化させることにより、水分子間に存在する有害物質等を体外へと排泄する作用があり、いわゆる第２の汗と称される体内の老廃物を皮膚から排泄する効果がある。
【０００４】
このような温熱効果を有する遠赤外線は、例えば溶岩等から大量に放出されることが知られており、かかる溶岩を用いた温熱療法の１つとして、サウナ室の形態で提案されたものが知られている（例えば、特許文献１参照。）。
【０００５】
【特許文献１】特開２００４−２３６６７６号公報
【０００６】
具体的には、この特許文献１には、人体の細胞の活力を促進して人体の自然治癒効果を増進させるように大量の遠赤外線を放出する施設として、溶岩を用いた蒸気浴若しくは乾気浴施設が開示されている。特に、この蒸気浴若しくは乾気浴施設は、浴室内の放熱部及び／又は浴室の床面や側壁等の人体に接する部位に溶岩を配置したものである。これにより、この蒸気浴若しくは乾気浴施設においては、熱効率が増大した省エネルギ型の蒸気浴若しくは乾気浴施設を提供することができるとしている。
【発明の開示】
【発明が解決しようとする課題】
【０００７】
ところで、従来の温熱療法は、上述した特許文献１をはじめとするサウナ室等の施設を要するものが多く、仮に故障等が生じた場合には大がかりな工事を要していた。また、従来の温熱療法は、サウナ室等の他、病院等でしか享受することができず、一般家庭において気軽に享受することはできなかった。
【０００８】
また、温熱療法は、人体を暖めるものであることから、例えば特開２００２−２４８０２８号公報のように、椅子に適用することも考えられる。しかしながら、かかる従来の椅子は、遠赤外線を放出する加熱器として、七輪や火鉢といった炭を燃やすものを用いることから、一般家庭において使用することを鑑みると、安全面の観点からは必ずしも使い勝手のよいものとはいえなかった。
【０００９】
さらに、人体を加温又は保温するための椅子としては、車両シート内に電熱線を配置したもの等、各種提案されているものの、遠赤外線による効果を発揮するものは何ら存在しないのが現状である。
【００１０】
本発明は、このような実情に鑑みてなされたものであり、何ら大がかりな施設をともなわず、一般家庭においても遠赤外線による温熱効果を極めて手軽に且つ安全に享受することができる椅子を提供することを目的とする。また、本発明は、かかる椅子を利用した新たなサウナ室を提供することを目的とする。
【課題を解決するための手段】
【００１１】
上述した目的を達成する本発明にかかる椅子は、遠赤外線を放出する所定の木材製からなる座面及び背もたれを形成する座体と、上記座体の内部に設けられた断熱材と、上記座体の内部であって少なくとも上記座面及び上記背もたれを形成する領域にわたって設けられた遠赤外線を放出する発熱体とを備えることを特徴としている。
【００１２】
このような本発明にかかる椅子は、遠赤外線を放出する木材を主要素材とし、少なくとも座面及び背もたれが、遠赤外線を放出する発熱体によって発熱することから、何ら大がかりな施設をともなわず、一般家庭においても遠赤外線による温熱効果を極めて手軽に且つ安全に享受することができる。
【００１３】
特に、上記座体は、当該座体の主形状を形成する主要体と、上記主要体の主面のうち上記座面及び上記背もたれを形成する面に貼付された上記木材製の表板材とを有し、上記表板材は、上記主要体に対して着脱可能とされる。このように、本発明にかかる椅子においては、座面及び背もたれを、主要体によって形成するのではなく、着脱可能な表板材を用いて形成することにより、座面及び背もたれが汚れた場合であっても、当該表板材を取り外して容易に洗浄することができ、また、内部に設けられた発熱体の交換も容易に行うことが可能となる。
【００１４】
ここで、上記主要体と上記断熱材は、修理等に際する取り扱いの容易さ及び構造の簡便さを図るべく、接離可能な状態に形成されているのが望ましい。
【００１５】
また、本発明にかかる椅子は、上記座面及び上記背もたれの外表面に現れる温度を所定温度に維持するように、上記発熱体の発熱を制御する温度制御手段を備える。そして、本発明にかかる椅子においては、例えば、表板材を介して座面及び背もたれの外表面に現れる温度が、遠赤外線による温熱療法に最も適した温度として知られている約３８℃程度を維持するように、発熱体の発熱が制御される。
【００１６】
なお、上記発熱体は、任意の座面及び背もたれの形状にフィットするように、可撓性を有して遠赤外線を放出する薄板状の発熱シートであるのが望ましい。
【００１７】
さらに、本発明にかかる椅子は、上記座体を支持する脚体を備える。そして、上記脚体は、床面に対する上記座面及び上記背もたれの角度を可変とするように構成されている。これにより、本発明にかかる椅子においては、使用者の座形態を容易に変化させることができる。具体的には、上記脚体は、上記座体に対して回転させることによって床面に対する上記座面及び上記背もたれの角度を可変とする。また、上記脚体は、上記座体を外すことによって床面に対する上記座面及び上記背もたれの角度を変化させることもできる。
【００１８】
さらにまた、本発明にかかる椅子は、上記座面及び／又は上記背もたれを覆う覆蓋部材を備えるようにしてもよい。これにより、本発明にかかる椅子においては、覆蓋部材に覆われた空間内に使用者が座った場合に、当該空間内で熱を輻射させることができることから、熱を逃がすことなく暖まる速度を向上させることができるとともに、恰も遠赤外線を放出するサウナ室に入室しているのと全く同様の効果を得ることができる。
【００１９】
なお、上記木材としては、桐を用いるのが最も好適である。これにより、本発明にかかる椅子においては、遠赤外線効果をはじめとして桐が有する優れた各種性質を全て享受することができる。
【００２０】
また、上述した目的を達成する本発明にかかるサウナ室は、所定の大きさの空間を形成する室体と、上記室体内に設置された椅子とを備え、上記椅子は、遠赤外線を放出する所定の木材製からなる座面及び背もたれを形成する座体と、上記座体の内部に設けられた断熱材と、上記座体の内部であって少なくとも上記座面及び上記背もたれを形成する領域にわたって設けられた発熱体とを有することを特徴としている。
【００２１】
このような本発明にかかるサウナ室は、遠赤外線を放出する木材を主要素材とし、少なくとも座面及び背もたれが発熱体によって発熱する椅子を設置していることから、遠赤外線による温熱効果を享受させる環境を容易に実現することができる。
【発明の効果】
【００２２】
本発明は、何ら大がかりな施設をともなわず、一般家庭においても遠赤外線による温熱効果を極めて手軽に且つ安全に享受することができる。
【発明を実施するための最良の形態】
【００２３】
以下、本発明を適用した具体的な実施の形態について図面を参照しながら詳細に説明する。
【００２４】
この実施の形態は、遠赤外線による温熱効果を奏するように発熱する椅子であり、本件出願人の遠赤外線に関する鋭意研究の結果、開発に至ったものである。具体的には、この椅子は、遠赤外線を放出する所定の木材、断熱材及び発熱体から構成されるものである。なお、この椅子は、木材として、遠赤外線を放出するものであればいかなるものであっても適用することができるが、以下では、説明の便宜上、桐を用いるものとして説明する。
【００２５】
まず、この椅子の説明に先だって、当該椅子の優れた性質を明確化すべく、当該椅子の主要素材として桐の特徴について説明する。
【００２６】
桐は、いわゆるゴマノハグサ科に属する植物であり、１月の平均気温が４［℃］以上の地域に生育している。
【００２７】
桐の気乾比重は、図１に示すように、"０．２９"であり、杉、檜、赤松、及びナラといった他の樹木に比べ最も低い値をとる。すなわち、桐は、日本に存在する樹木の中で最も比重が軽い樹種である。また、桐は、同図に示すように、発火点が"２７０［℃］"であり、日本に存在する樹木の中で最も発火点が高い樹種である。さらに、桐は、同図に示すように、熱伝導率が"０．１３４［Ｗ／ｍ・Ｋ］"であり、日本に存在する樹木の中で最も熱伝導率が低い樹種である。
【００２８】
このような、桐の特徴としては、従来からタンスの素材として用いられていることからも明らかなように、調湿機能及び防湿機能に優れた素材であることが挙げられる。すなわち、桐は、周囲環境の湿度が高くなるとこれに敏感に反応し、水分を吸収して膨張する一方で、周囲環境の湿度が低くなると、収縮しながら水分を放出する機能が優れた素材である。したがって、桐は、日本のような周囲環境における湿度の変化が激しい地域で用いる家具等の素材として好適であるといえる。
【００２９】
さらに、桐の特徴としては、腐敗しにくいことが挙げられる。すなわち、桐は、防腐剤として機能するタンニンを多く含有しており、このタンニンの効果により、腐敗しにくく、抗菌性も高く、家具等の素材として用いて好適であるといえる。
【００３０】
さらにまた、桐の特徴としては、遠赤外線効果が挙げられる。例えば、温度２０℃、湿度６０％の環境を基準とし、素材を２０℃〜４０℃の範囲で加熱した場合に、３６℃付近の温度で１ｍ２あたりに当該素材から放出される遠赤外線は、セラミックが３１０［Ｗ］であり、ナラが２６０［Ｗ］である。これに対して、桐は、３５０［Ｗ］もの遠赤外線を放出することが知られている。したがって、桐を用いて構造物を建造することは、当該桐から放出される遠赤外線によって当該構造物の内部に存在する人物の血行を良好にする効果が大きい。このように、桐は、遠赤外線の観点からも、家具等の素材として用いて好適であるといえる。
【００３１】
また、桐の特徴としては、マイナスイオン効果が挙げられる。マイナスイオンは、近年の研究により、いわゆる床ずれの治癒率を高めることが知られているが、マイナスイオンを発生する装置から放出されるイオンの放射距離は、約２０ｃｍであるのが通常である。これに対して、桐を媒介して同じ装置からマイナスイオンを放出した場合には、その放射距離は、２５ｃｍ程度まで長くなるという研究結果が得られている。この事実から、桐は、マイナスイオンの観点からも、家具等の素材として用いて好適であるといえる。
【００３２】
さらに、桐の特徴としては、触感が暖かいことが挙げられる。桐は、熱伝導率と密度と比熱との積の平方根で表される熱浸透率が"２６５［Ｊ・ｓ−０．５／ｍ２・Ｋ］"である。これに対して、檜の熱浸透率は、"３１０［Ｊ・ｓ−０．５／ｍ２・Ｋ］"であり、ブナの熱浸透率は、"５１３［Ｊ・ｓ−０．５／ｍ２・Ｋ］"であり、白樫の熱浸透率は、"７４２［Ｊ・ｓ−０．５／ｍ２・Ｋ］"であり、鉄の熱浸透率は、"１２５００［Ｊ・ｓ−０．５／ｍ２・Ｋ］"であり、アルミニウム合金の熱浸透率は、"２１７００［Ｊ・ｓ−０．５／ｍ２・Ｋ］"である。すなわち、桐は、他の素材に比べ熱浸透率が極めて小さい。このことは、桐は熱の浸透の度合いが少ないことを意味しており、冬は冷たくなく、且つ夏は熱くならないことを意味している。また、桐は、上述したように、熱伝導率が低いことから、接触した場合に、接触した人物本人の体温を瞬時にはね返す性質を有する。換言すれば、桐は、接触しても冷たさを感じることが一切ない素材である。したがって、桐は、裸足の生活習慣にも適しており、また、高齢者にとっても安全な素材であり、家具等の素材として用いて好適であるといえる。
【００３３】
さらにまた、桐の特徴としては、触感が良好であることが挙げられる。桐は、樹木の中では柔らかい素材であり、その表面もベトつくことがなく、極めて良好な肌触りを呈する。したがって、桐は、家具等の素材として用いて好適であるといえる。
【００３４】
また、桐の特徴としては、上述したように、発火点が高いことから、燃えにくく、耐熱性にも優れていることが挙げられる。また、桐は、表面が炭化して水分を多く含むことにより、より燃えにくくなる性質も有する。したがって、桐は、家具等の素材として用いて好適であるといえる。
【００３５】
さらに、桐の特徴としては、耐水性に優れていることが挙げられる。桐の断面を顕微鏡を用いて観察すると、それぞれ、図２(ａ)、図２(ｂ)、及び図２(ｃ)に示す写真が得られる。なお、図２(ａ)は、桐の板目面を８０倍に拡大した顕微鏡写真であり、図２(ｂ)は、桐の柾目面を８０倍に拡大した顕微鏡写真であり、図２(ｃ)は、桐の木口面を３５倍に拡大した顕微鏡写真である。
【００３６】
同図から、桐は、導管が全域にわたって形成されている他の樹木とは異なり、導管が存在せず、円形状の空孔が多数形成されていることがわかる。これにより、桐は、水中に沈めた場合であっても、他の樹木に比べ吸水性が低く、水分によって劣化することがない。このように、桐は、湿度が高い地域で用いる家具等の素材として好適であるといえる。
【００３７】
さらにまた、桐の特徴としては、省エネルギ効果が極めて高いことが挙げられる。桐は、上述したように、熱伝導率及び熱浸透率が低く、さらに図２(ａ)、図２(ｂ)、及び図２(ｃ)に示したように、線維組織中に存在する空気層の割合が他の樹木に比べ極めて多いことから、断熱効果が高いことが知られている。また、桐は、このような構造からなることから、キズや凹み等に対する復元力が極めて高い。したがって、桐は、構造物の内部温度を保持する効果が高く、また、一般的なエアーコンディショナー機器の設定を２０％程度低下させても同等の体感温度を得ることができることから省エネルギ効果が大きく、家具等の素材として用いて好適であるといえる。
【００３８】
最後に、桐の特徴としては、環境に優しい素材であることが挙げられる。桐は、成長が早く１５年程度で成木になり、また、山岳地域ではなく畑等の平地で育つことから、植林することによって生態系を変化させる可能性も低く、緑化を促進する環境に優しい素材であるといえる。
【００３９】
本件出願人は、椅子として提供するのに最適な素材として、様々な木材の中から、このような各種有意性を有する桐を独自の見解に基づいて選択し、本発明を考案するに至った。以下、このような本発明の実施の形態として示す椅子について説明する。
【００４０】
図３に、椅子１０の側面図を示し、図４に、当該椅子１０の平面図を示す。また、図５に、図３の側面図に対応する断面図を示し、図６に、図４の平面図に対応する断面図を示す。
【００４１】
すなわち、椅子１０は、座面及び背もたれを形成する座体１１と、この座体１１を支持する脚体１２とを備える。
【００４２】
座体１１は、当該座体１１の主形状を形成する桐製の主要体２１と、この主要体２１の主面のうち座面及び背もたれを形成する一方の面に貼付された桐製の複数の表板材２２と、主要体２１の主面のうち他方の主面に貼付された桐性の背板材２３とからなる。
【００４３】
主要体２１は、いわゆるデッキチェアのように座面と背もたれとが滑らかな曲線をともなって連続的に形成される。この主要体２１には、図５に示すように、側板材と背板材２２とによって形成される中空部分に、所定の断熱材３０が設けられる。
【００４４】
断熱材３０は、例えばポリウレタンといった所定の合成樹脂発泡体からなる。この断熱材３０は、主要体２１の中空部分の形状に成型されたものを、所定の接着剤を介して、当該中空部分に嵌合させて貼着することによって当該主要体２１と接離可能な状態に形成することができる。これにより、椅子１０においては、構造が簡便となり、また、修理等の必要が生じた際に、構成部材を壊すことなく容易に取り外すことができ、取り扱いも容易となる。なお、接着剤としては、所望の接着力を実現することができるものであれば、環境保護の観点から、澱粉質の糊やにかわに類似する所定の天然素材を原料とするものが望ましい。
【００４５】
また、断熱材３０としては、主要体２１の中空部分にポリウレタン等の原液を所定の充填圧のもとに注入し、所望の発泡率に応じた圧力で当該主要体２１をプレスすることにより、当該原液を発泡させて形成するようにしてもよい。この場合には、断熱材３０の素材としての合成樹脂が液状から固体状に変化する過程で生じる発泡凝固接着力により、主要体２１と断熱材３０とが接離不能な状態に一体形成される。
【００４６】
なお、断熱材３０としては、いずれの手法を用いた場合であっても、環境保護の観点から、燃焼した際にフロンガス等の有害物質を発生しない素材からなるものであれば、いかなるものであっても適用することができ、さらに、所望の断熱効果を得ることができるのであれば、生分解するものが望ましい。
【００４７】
かかる断熱材３０が設けられた主要体２１には、図５及び図６に示すように、遠赤外線を放出する薄板状の発熱体である発熱シート４０が、少なくとも座面及び背もたれを形成する領域にわたって敷設される。発熱シート４０は、例えば１ｍｍ程度の厚さに形成された可撓性を有するものであり、家庭用コンセントからの給電によって発熱する。また、主要体２１においては、この発熱シート４０に対する電力を供給するためのタップ４１が、当該主要体２１を形成する側板材の一部から延在している。
【００４８】
このような主要体２１のうち発熱シート４０が敷設された面には、上述したように、複数の表板材２２が着脱可能に貼付され、座面及び背もたれを形成する。このように、座体１１においては、座面及び背もたれを、主要体２１によって形成するのではなく、着脱可能な表板材２２を用いて形成することにより、座面及び背もたれが汚れた場合であっても、当該表板材２２を取り外して容易に洗浄することができ、また、敷設された発熱シート４０の交換も容易に行うことが可能となる。
【００４９】
一方、脚体１２は、図７に示すように、２枚の板材５１，５２と、これら２枚の板材５１，５２を接続する複数の接続棒体５３，５４，５５，５６とからなる。脚体１２は、図１に示したように、座体１１における座面部分と背もたれ部分との境界部分を当該脚体１２上に載置することにより、当該座体１１を支持する。そして、椅子１０においては、脚体１２を座体１１に対して回転させてその向きを変化させ、当該座体１１を支持する面を変化させることにより、床面に対する座面及び背もたれの角度を例えば３段階程度の多段階に可変とすることができる。また、椅子１０においては、座体１１を脚体１２から外して床面に降ろすことにより、図８に示すように、さらに床面に対する座面及び背もたれの角度を変化させ、いわば座椅子のように用いることもでき、脚体１２によって支持されている場合に比べ、使用者が寝そべるような使用形態とすることができる。
【００５０】
このような椅子１０においては、使用時に、図示しない温度制御手段の制御のもとに発熱シート４０を発熱させるが、表板材２２を介して座面及び背もたれの外表面に現れる温度が約３８℃程度を維持するように、発熱シート４０の発熱を制御する。ここで、この３８℃という温度は、遠赤外線による温熱療法に最も適した温度として知られているものである。椅子１０においては、座面及び背もたれの外表面の温度を３８℃程度に設定することにより、使用者が当該椅子１０に座る又は寝そべるのみで、桐が放出する遠赤外線による温熱療法の効果を享受することが可能となる。すなわち、いわゆる第２の汗を発汗することによる老廃物排泄効果、自律神経のバランス向上、肌の洗浄及び保湿、内臓の加温による新陳代謝の向上、血流の改善及び血液のサラサラ化並びに腸内リンパ組織の活性化による自然治癒力向上、心身のリラックス効果、消化吸収の安定化による便秘や下痢の予防を図ることが可能となる。また、椅子１０は、桐製の表板材２２によって外表面が形成されていることから、良好な触感と見た目を提供することができ、使用者の座り心地を大幅に向上させることができる。
【００５１】
勿論、椅子１０は、少なくとも主要体２１及び表板材２２が桐製であることから、遠赤外線による温熱効果の他にも、上述した桐が有する優れた各種性質、すなわち、高い調湿機能及び防湿機能、優れた抗腐敗性及び抗菌性、高いマイナスイオン効果、良好な触感、優れた耐熱性及び耐水性、並びに、高い省エネルギ効果等を全て享受することができる。
【００５２】
このように、本発明の実施の形態として示す椅子１０は、極めて簡便な構成ながらも、単に加温又は保温するための従来の椅子とは一線を画すものであり、何ら大がかりな施設をともなわず、一般家庭においても遠赤外線による温熱効果を極めて手軽に且つ安全に享受することができる。
【００５３】
なお、本発明は、上述した実施の形態に限定されるものではない。例えば、上述した実施の形態では、表板材２２が主要体２１に対して着脱可能とされるものとして説明したが、本発明は、主要体２１と表板材２２とを一体化し、発熱シート４０を当該主要体２１の内部に埋設するような形態であってもよい。
【００５４】
また、上述した実施の形態では、座面と背もたれとが滑らかな曲線をともなって連続的に形成されているものとして説明したが、本発明は、椅子の形状には何ら拘泥するものではなく、例えば座面に対する背もたれの角度を任意に変化させることができるリクライニング式の椅子であっても適用することができ、人体が接触する面の素材として、遠赤外線を放出する木材を用いるものであればいかなるものであっても適用することができる。
【００５５】
さらに、本発明は、温熱効果を高めるために、特に図示しないが、座面及び／又は背もたれを覆う覆蓋部材を取り付けてもよい。この覆蓋部材としては、発熱シート４０によって発熱した熱が外気に逃げるのを抑制する構造のものであれば、いかなるものであっても適用することができ、例えば、所定の素材からなるフード状のものや、いわゆるシュラフや寝袋のような形態のもの、さらには毛布やシーツのような形態のもの等が挙げられる。特に、これにより、本発明においては、覆蓋部材に覆われた空間内に使用者が座った場合に、当該空間内で熱を輻射させることができることから、熱を逃がすことなく暖まる速度を向上させることができるとともに、恰も遠赤外線を放出するサウナ室に入室しているのと全く同様の効果を得ることができる。勿論、覆蓋部材は、洗浄や交換を容易とするために、主要体２１に対して着脱可能とするのが望ましい。
【００５６】
さらにまた、上述した実施の形態では、椅子１０を単独で用いるものとして説明したが、本発明においては、この椅子１０を利用した新たなサウナ室を実現することもできる。すなわち、本発明においては、上述した椅子１０を所定の大きさの空間を形成する室体内に設置し、当該椅子１０を設置した近傍領域に熱源を設けることにより、室体内全体を加熱するサウナ室としての用途にも適用することができる。この場合において、サウナ室内の湿度が例えば５０％〜６０％程度となるように、湿度を調整することにより、子供から高齢者まで幅広い年齢層にわたって人体に全く負担のない優れたサウナ環境を実現することができる。
【００５７】
このように、本発明は、その趣旨を逸脱しない範囲で適宜変更が可能であることはいうまでもない。
【図面の簡単な説明】
【００５８】
【図１】各種樹木についての気乾比重、発火点、及び熱伝導率をまとめた図である。
【図２（ａ）】桐の板目面を顕微鏡で８０倍に拡大した様子を示す図である。
【図２（ｂ）】桐の柾目面を顕微鏡で８０倍に拡大した様子を示す図である。
【図２（ｃ）】桐の木口面を顕微鏡で３５倍に拡大した様子を示す図である。
【図３】本発明の実施の形態として示す椅子の外観構成を示す側面図である。
【図４】同椅子の外観構成を示す平面図である。
【図５】同椅子の構成を示す断面図であって、図３の側面図に対応する断面図である。
【図６】同椅子の構成を示す断面図であって、図４の平面図に対応する断面図である。
【図７】同椅子における脚体の外観構成を示す斜視図である。
【図８】同椅子において、座体を脚体から床面に降ろした様子を示す側面図である。
【符号の説明】
【００５９】
１０  椅子
１１  座体
１２  脚体
２１  主要体
２２  表板材
２３  背板材
３０  断熱材
４０  発熱シート
４１  タップ
５１，５２  板材
５３，５４，５５，５６  接続棒体
【図１】
2006122423.tif 000003
【図２（ａ）】
2006122423.tif 000004
【図２（ｂ）】
2006122423.tif 000005
【図２（ｃ）】
2006122423.tif 000006
【図３】
2006122423.tif 000007
【図４】
2006122423.tif 000008
【図５】
2006122423.tif 000009
【図６】
2006122423.tif 000010
【図７】
2006122423.tif 000011
【図８】
2006122423.tif 000012